(57)【特許請求の範囲】
【請求項１】
ガイドレール１で移行案内されるランナー本体２と、戸パネル３の側に装着した上下調整機構と、ランナー本体２と上下調整機構とを連結する吊軸４とを備えており、
上下調整機構は、戸パネル３に埋設固定した筒状の雌ねじ体９と、雌ねじ体９にねじ込み連結した雄ねじ体１０とからなり、
吊軸４はランナー本体２に対して相対回転自在に連結されて、その下半軸部が雄ねじ体１０を上下に貫通しており、
吊軸４の下端に、雄ねじ体１０の下端面を受け止め支持して、雌ねじ体９の筒壁に設けた受溝１４と係合する回り止め片２３が設けられており、
雄ねじ体１０と回り止め片２３との間に、互いに凹凸係合して雄ねじ体１０の緩み回動を阻止する、突起２６と凹部２１とが上下対向状に設けてある吊り車型のランナー。
【請求項２】
突起２６と凹部２１とが雄ねじ体１０および回り止め片２３の周方向の２個所以上に設けてある請求項１記載の吊り車型のランナー。
【請求項３】
回り止め片２３が雄ねじ体１０の下端面を受け止める円座２４と、円座２４の周縁から突設されて雌ねじ体９の受溝１４と係合する爪片２５とを有し、回り止め片２３の上面に突起２６が突設され、雄ねじ体１０の下端面に凹部２１が凹み形成されており、突起２６と凹部２１の少なくともいずれか一方に、傾斜面からなるガイド面２１ａ・２６ａが形成してある請求項２記載の吊り車型のランナー。
【発明の詳細な説明】
【０００１】
【発明の属する技術分野】
本発明は、折り戸や間仕切り用引き戸等に適用される吊り車型のランナーに関する。
【０００２】
【従来の技術】
本発明に係る吊り車型のランナーに関して、実公平８−７００６号公報のランナーが公知である。そこでは図８に示すように、ガイドレール４０で走行案内されるランナー本体４１と、戸パネル４２の側に装着した上下調整機構と、ランナー本体４１と上下調整機構を連結する吊軸４３とでランナーを構成している。上下調整機構は、戸パネル４２に埋設されて逆Ｌ字状の取付金具４４で抜け止め固定される筒状の雌ねじ体４５と、雌ねじ体４５にねじ込まれる雄ねじ体４６とからなる。先の吊軸４３は雄ねじ体４６を上下に縦通しており、その下端に雄ねじ体４６を支持し、さらに雌ねじ体４５に設けた溝４７と係合する回り止め片４８が一体に設けてある。つまり、局部的に見ると戸パネル４２の重量は、雄ねじ体４６を介して、回り止め片４８が受け止めている。
【０００３】
このランナーによれば、雄ねじ体４６の上端に設けた六角形の操作部４９を回動して、両ねじ体４５・４６のかみ合い位置を変更することにより、戸パネル４２の上下位置を調整できる。さらに雄ねじ体４６と回り止め片４８との間に生じる摩擦力によって、雄ねじ体４６が雌ねじ体４５に対して緩むのを阻止し、雌ねじ体４６を調整位置に保持できる。
【０００４】
【発明が解決しようとする課題】
上記のように、回り止め片４８と雌ねじ体４６の下端面との間に生じる摩擦力によって、雄ねじ体４６の位置保持を行う形態では、施工後ある程度の期間を経ると、先の摩擦力に打ち勝って雄ねじ体４６が雌ねじ体４５に対して緩み、戸パネル４２を適正に吊り下げ支持できないことがある。時間の経過と共に雄ねじ体４６と回り止め片４８との摩擦接触面が平滑化されるうえ、接触面間に摩耗粉を生じて、当初の状態に比べて摩擦力が小さくなるからである。とくに、折り戸に適用したランナーの場合には、戸パネル４２を開閉する毎に吊軸４３に回動モーメントが作用し、回り止め片４８と雄ねじ体４６とが相対的に往復回動するため、早期に雄ねじ体４６の緩みを生じていた。
【０００５】
本発明の目的は、上記形態の上下調整機構を備えた吊り車型のランナーにおいて、雄ねじ体が調整位置から緩むのを確実に阻止し、戸パネルを常に適正な状態で支持できるようにすることにある。
本発明の他の目的は、新たな部品の追加を行う必要がなく、雄ねじ体と回り止め片の部分的な構造変更のみで、雄ねじ体の緩みを確実に阻止でき、従って長期使用時の信頼性に優れた吊り車型のランナーを、低コストで提供することにある。
【０００６】
【課題を解決するための手段】
本発明のランナーは、ガイドレール１で移行案内されるランナー本体２と、戸パネル３の側に装着した上下調整機構と、ランナー本体２と上下調整機構とを連結する垂直の吊軸４とを備えている。上下調整機構は、戸パネル３に埋設固定した筒状の雌ねじ体９と、雌ねじ体９にねじ込み連結した雄ねじ体１０とからなる。吊軸４はランナー本体２に対して相対回転自在に連結されて、その下半軸部が雄ねじ体１０を上下に貫通している。吊軸４の下端に、雄ねじ体１０の下端面を受け止め支持して、雌ねじ体９の筒壁に設けた受溝１４と係合する回り止め片２３を設ける。雄ねじ体１０と回り止め片２３との間に、互いに凹凸係合して雄ねじ体１０の緩み回動を阻止する、突起２６と凹部２１とを上下対向状に設ける。
【０００７】
雌ねじ体９の受溝１４に係合する回り止め片２３と、雄ねじ体１０との間に互いに凹凸係合する突起２６と凹部２１とを設けて、雄ねじ体１０の緩み回動を機械的に阻止するので、たとえ吊軸４に回動モーメントが作用する場合であっても、雄ねじ体１０と回り止め片２３が相対回動することはない。一方、雄ねじ体１０を調整回動するときは、雄ねじ体１０に加えられる回転力によって、突起２６と凹部２１の係合状態を強制解除できるので、支障なく上下調整を行える。突起２６と凹部２１の係合状態によっては、雄ねじ体１０により大きな回転力を加えても強制解除できないことがあり得る。こうした場合には、戸パネル３をガイドレール１の側へ持ち上げて、突起２６と凹部２１の係合状態を解除することにより、雄ねじ体１０を調整回動できる。
【０００８】
突起２６と凹部２１とを雄ねじ体１０と回り止め片２３の接触面に上下対向状に設けると、吊軸４と雄ねじ体１０が上下方向へ相対移動できることを利用して、突起２６と凹部２１の係合状態を強制解除できるので、雄ねじ体１０の緩み回動を阻止することと、必要時には雄ねじ体１０の調整回動を許すことの、相反する要求をより簡単に満足できる。雄ねじ体１０と回り止め片２３に、突起２６と凹部２１を設けるだけの部分的な構造変更のみで、雄ねじ体１０の緩み回動を阻止できる利点もある。
【０００９】
上記の突起２６と凹部２１とは雄ねじ体１０および回り止め片２３の周方向の２個所以上に設けることができる。この場合には、雄ねじ体１０をｎ分の１回転（但しｎは２以上の整数）する毎に突起２６と凹部２１を係合させて、雄ねじ体１０を回り止め保持できるので、戸パネル３の上下位置を微調整し、その位置を確実に保持できる。
【００１０】
回り止め片２３は雄ねじ体１０の下端面を受け止める円座２４と、円座２４の周縁から突設されて雌ねじ体９の受溝１４と係合する爪片２５とを有する。回り止め片２３の上面に突起２６を突設する。雄ねじ体１０の下端面に凹部２１を凹み形成し、突起２６と凹部２１の少なくともいずれか一方に、傾斜面からなるガイド面２１ａ・２６ａを形成する。
【００１１】
突起２６および凹部２１の少なくともいずれか一方に傾斜面からなるガイド面２１ａ・２６ａを形成すると、雄ねじ体１０を調整回動するとき、ガイド面２１ａ・２６ａに上下方の分力を生じさせて、突起２６と凹部２１の係合状態の強制解除を容易に行うことができる。
【００１２】
【実施例】
（実施例１）
図１ないし図４は本発明に係る吊り車型ランナーの実施例１を示す。吊り車型のランナーは、ガイドレール１で移行案内されるランナー本体と、戸パネル３の側に装着した上下調整機構と、ランナー本体２と上下調整機構とを連結する吊軸４などで構成する。
【００１３】
図２においてランナー本体２は、プラスチック製の４個のローラ５と、これらのローラ５を軸６を介して遊転自在に支持するプラスチック製のボディ７とからなる。ボディ７は横長直方体状のブロックからなり、その長手方向中央の軸穴に吊軸４が上下貫通状に挿嵌される。吊軸４は上端をかしめてボディ７と一体化するが、両者４・７は自由に相対回転できる。
【００１４】
上下調整機構は、雌ねじ体９と、これに上方からねじ込まれる雄ねじ体１０と、雌ねじ体９を戸パネル３に固定保持するセット金具１１などで構成する。雌ねじ体９は内面に雌ねじが形成してある筒体１２と、筒体１２の上端に張り出した四角形状のフランジ１３とを有するプラスチック成形品からなり、筒体１２の下側の対向周面に一対の受溝１４が形成してある。図１に示すように雌ねじ体９は、戸パネル３に形成したセット穴３ａに筒体１２を挿嵌して埋設状に装着され、フランジ１３のみが戸パネル３の上端壁に露出する。
【００１５】
雌ねじ体９を抜け外れ不能に固定し、さらに戸パネル３の厚みの違いに対応するためにセット金具１１で雌ねじ体９を固定保持する。セット金具１１は逆Ｌ字状に折り曲げられたプレス成形金具であって、戸パネル３の上端面に被さる上壁の中央に、先のフランジ１３を回動不能に受け止める座部１５を上突状に形成し、座部１５の中央に雄ねじ体９用の通口１６を通設する。通口１６、および座部１５の左右の上壁に設けたビス穴は、それぞれ長穴で形成してあって、戸パネル３の厚みに違い対応できるようにしてある。セット金具１１の戸パネル３の面壁に沿う縦壁には４個のビス穴が通設してある。
【００１６】
雄ねじ体１０は、ねじ軸１８の上端に六角形の操作部１９を一体に形成したダイキャスト成形品からなり、その軸心に沿って吊軸４を挿通する穴２０が上下貫通状に通設してある。図３に示すようにねじ軸１８の下端の対向周面の２個所には、台形状の凹部２１が切り欠き形成してある。雄ねじ体１０は、セット金具１１の上面側から通口１６を介して雌ねじ体９にねじ込まれる。
【００１７】
吊軸４は上下に長い鋼線製の軸体からなり、その下端に回り止め片２３が一体に形成してある。回り止め片２３は、雌ねじ体１０の下端面を受け止める円座２４と、円座２４の対向周縁から突設した一対の爪片２５とからなり、爪片２５および円座２４の上面にわたって、断面台形状の突起２６を膨出形成する。突起２６の幅寸法は爪片２５の幅寸法より小さい。
【００１８】
上記のランナー構成部品は、次のように組まれて一体化してある。セット金具１１の座部１５を間に挟んで、雌ねじ体９に雄ねじ体１０をねじ込み、両ねじ体９・１０とセット金具１１を仮り組する。次に、吊軸４を雌ねじ体９の下面側から雄ねじ体１０の穴２０に挿嵌し、その回り止め片２３の爪片２５を雌ねじ体９の受溝１４に差し込み係合する。最後に吊軸４の上部をランナー本体２のボディ７に差し込み、その上端をかしめて全部品を一体化する。
【００１９】
ランナーをガイドレール１および戸パネル３に組んだ状態では、図３に示すように回り止め片２３が雄ねじ体１０の下端面を受け止めており、爪片２５が受溝１４と係合している。従って、吊軸４は戸パネル３に対して相対回動できず、ランナー本体２に対してのみ相対回動できる。この組み付け状態においては、回り止め片２３の上面の突起２６が雄ねじ体１０の下端の凹部２１と係合している。そのため、雄ねじ体１０に緩み回動する向きの回転モーメントが作用したとしても、雄ねじ体１０は突起２６を乗り越えて回動することができず、調整された上下位置を保持し続けることができる。
【００２０】
施工時等に戸パネル３の上下位置を調整する場合には、座部１５の上方に露出する操作部１９にスパナを掛けて、雄ねじ体１０の全体を調整回動操作する。このとき、突起２６と凹部２１とは機械的に係合しているので、雄ねじ体１０が回動しようとするのを妨げる。しかし、図３に示すように、凹部２１および突起２６をそれぞれ台形状に形成して、両者の係合面を傾斜面からなるガイド面２１ａ・２６ａとして形成するので、所定の力を越える回転力が雄ねじ体１０に加わると、雄ねじ体１０は突起２６から徐々に上方へ離れながら回動し、突起２６を乗り越えることができる。つまり、雄ねじ体１０を調整回動するだけで、突起２６と凹部２１の係合状態を強制的に解除できる。戸パネル３を持ち上げ気味にして雄ねじ体１０を調整回動すると、突起２６による乗り越え抵抗を軽減して、より軽快に上下位置調整を行える。
【００２１】
（実施例２）
図５ないし図７は本発明に係る吊り車型のランナーの実施例２を示す。そこでは、雌ねじ体９をプレス成形品で形成し、これをプラスチック成形品からなるホルダー２９で戸パネル３に固定するようにした。雌ねじ体９は、筒体１２の接合縁に沿って設けた縦長の接合片どうしを溶接して筒形状を保持しており、溶接された接合片が回り止め用のフランジ１３として機能する。フランジ１３の下側には受溝１４を形成する。受溝１４より下側の筒壁は切り欠いてあって、残りの断面半円形状のスカート部３０の下端寄りに締結穴３１を通設する。
【００２２】
ホルダー２９は側面から見て、逆鍵穴状に形成してあり、縦横に交差する縦ボス３２および横ボス３３と、両ボス３２・３３の内隅どうしを一体に接続する枠部３４とを有する。縦ボス３２には、雌ねじ体９の筒体１２およびフランジ１３を受け入れる断面鍵穴形の取付穴３５が形成してあり、この穴３５に雌ねじ体９を下面側から組み込むことにより、雌ねじ体９を回転不能に保持できる。横ボス３３にはビス又は釘を挿通する穴３６が形成してある。
【００２３】
ホルダー９に雌ねじ体９を組んだ後、雄ねじ体１０を雌ねじ体９にねじ込み、吊軸４をホルダー２９の下面側から雄ねじ体１０に挿通した後、その軸上部をランナー本体２にかしめ固定することにより、全ての構成部品を一体化できる。この場合の回り止め片２３は、円座２４の周囲１個所にのみ爪片２５が設けてあり、この爪片２５が雌ねじ体９に設けた受溝１４と係合する。もちろん、爪片２５の上部には突起２６を設け、雄ねじ体１０の下端面の対向２個所に、突起２６と係合する凹部２１を設けている。なお、ホルダー２９は戸パネル３の上隅に設けた逆鍵穴形のセット穴３ａに側面側から差し込み装填したうえで、穴３６に例えば釘を打ち込んで固定する。
【００２４】
上記のように、雌ねじ体９はセット金具１１やホルダー２９を用いて固定できるが、必ずしもその必要はなく、他の取り付け形態を採ることができる。突起２６を雄ねじ体１０の側に設け、凹部２１を回り止め片２３の側に設けることができる。その形状も等脚台形とする以外に、半円状や三角形状あるいは鋸刃形に変更できる。ランナー本体２はローラ５を２個備えているだけでよく、ローラ５を吊軸４で軸６を介して支持する形態を採ることができる。突起２６は爪片２５で兼ねることができる。
【００２５】
【発明の効果】
本発明では、吊軸４を回り止め保持する回り止め構造を利用して、雄ねじ体１０と回り止め片２３との間に雄ねじ体１０の緩み回動を防ぐ突起２６と凹部２１を設けるので、雄ねじ体１０の調整回動は自由に行えることを保障しながら、戸パネル３の開閉に伴って雄ねじ体１０が雌ねじ体９に対して緩むのを確実に防止できる。これにより、長期使用時に戸パネル３が床面側へずれ下がったり、吊持姿勢が一方へ傾くなどの不具合を解消して、戸パネル３を施工時と同じ適正な状態に支持できる。
【００２６】
雄ねじ体１０と回り止め片２３に突起２６と凹部２１を付加するだけの、部分的な構造変更を行うだけで雄ねじ体１０の緩みを確実に防止できるので、新たな機能が追加されたランナーであるにもかかわらず、その製作コストを従来ランナーと同じか同程度に抑止して、より低コストで提供できる。
【図面の簡単な説明】
【図１】ランナーの使用状態を示す縦断面図である。
【図２】ランナー構成部品を分解した状態の正面図である。
【図３】図１におけるＡ矢視図である。
【図４】図３におけるＢ−Ｂ線断面図である。
【図５】実施例２に係るランナーの縦断面図である。
【図６】ホルダーおよび雌ねじ体の分解斜視図である。
【図７】図５におけるＣ−Ｃ線断面図である。
【図８】従来ランナーの縦断面図である。
【符号の説明】
１  ガイドレール
２  ランナー本体
３  戸パネル
４  吊軸
９  雌ねじ体
１０  雄ねじ体
１４  受溝
２１  凹部
２３  回り止め片
２６  突起
【図１】
0003703056.tif 000002
【図２】
0003703056.tif 000003
【図３】
0003703056.tif 000004
【図４】
0003703056.tif 000005
【図５】
0003703056.tif 000006
【図６】
0003703056.tif 000007
【図７】
0003703056.tif 000008
【図８】
0003703056.tif 000009